(57)【要約】【課題】プリフォームを簡易かつ迅速に殺菌する。【解決手段】有底筒状に形成された多数のプリフォーム（１）をコンベア（４）上に投入して不揃いな横臥状態にし、これらプリフォームを、コンベアによって第一のチャンバ（５）内を通過させながら、コンベアの両側から加温エア（Ｈ）をプリフォーム（１）に吹き付けてプリフォーム（１）を予熱し、引き続きプリフォームを、コンベアによって第二のチャンバ（６）内を通過させながら、コンベアの両側から、過酸化水素を混ぜた水から作った過熱蒸気（Ｓ）をプリフォームに向かって吹き付けてプリフォーム（１）を殺菌する。【選択図】図２
2014050987.tif 000002
【特許請求の範囲】
【請求項１】
有底筒状に形成された多数のプリフォームをコンベア上に投入して不揃いな横臥状態にし、これらプリフォームを、コンベアによって第一のチャンバ内を通過させながら、コンベアの両側から加温エアをプリフォームに吹き付けてプリフォームを予熱し、引き続きプリフォームを、コンベアによって第二のチャンバ内を通過させながら、コンベアの両側から、過酸化水素を混ぜた水から作った過熱蒸気をプリフォームに向かって吹き付けてプリフォームを殺菌することを特徴とするプリフォーム殺菌方法。
【請求項２】
請求項１に記載のプリフォーム殺菌方法において、上記加温エアの吹き付けにより、プリフォームの表面を４０℃〜７０℃に予熱することを特徴とするプリフォーム殺菌方法。
【請求項３】
請求項１に記載のプリフォーム殺菌方法において、過熱蒸気は過酸化水素を混ぜた水を誘電加熱することによって発生させることを特徴とするプリフォーム殺菌方法。
【請求項４】
有底筒状に形成されたプリフォームを横臥状態で乗せて搬送するコンベアと、このコンベアの水平走行部に直列に設置された第一及び第二のチャンバと、第一のチャンバ内でコンベアの両側から加温エアをプリフォームに向かって吹き付けてプリフォームを予熱する予熱用ノズルと、第二のチャンバ内でコンベアの両側からプリフォームに向かって、過酸化水素を混ぜた水から作った過熱蒸気を吹き付けてプリフォームを殺菌する殺菌用ノズルとを具備したことを特徴とするプリフォーム殺菌装置。
【発明の詳細な説明】
【技術分野】
【０００１】
本発明は、ボトル等の容器を作るためのプリフォームを殺菌する方法及び装置に関する。
【背景技術】
【０００２】
従来、ＰＥＴ（ポリエチレンテレフタレート）製のボトルを過酸化水素水で殺菌するには、ボトルをチャンバ内に導き、過酸化水素水をチャンバ内にスプレーし、かつチャンバ内に空気流を導入するようにしている。これにより、複雑な形状を有するボトルであっても過酸化水素水のミストがボトル表面に均一に付着するようにし、ボトル表面がむらなく殺菌されるようにしている（例えば、特許文献１参照。）。
【０００３】
また、ボトル成形前のプリフォームの段階で殺菌することも試みられている。すなわち、プリフォームの口部を垂直下方に開口したノズルに正対させ、過酸化水素等の薬剤をノズルから噴射し、続いてプリフォームを加熱炉内に導入し、プリフォームをブロー成形温度まで加熱するとともに殺菌効果を高め、しかる後に成形型で挟んでボトルにブロー成形している（例えば、特許文献２参照。）。
【０００４】
また、プリフォームの段階で殺菌する場合、各々過酸化水素水溶液を滴下した多数のプリフォームをコンテナ内に入れて密封し、このコンテナを輸送、保管する際にコンテナ内で気化した過酸化水素の蒸気でプリフォームの内外面を殺菌することも試みられている。コンテナの搬入先でコンテナから取り出されたプリフォームは搬入先の成形機によって無菌状態のボトルに成形されることとなる（例えば、特許文献３参照。）。
【０００５】
さらに、プリフォームの殺菌に過酸化水素等の殺菌剤の使用が望まれない場合もある。この殺菌剤を使用することなくプリフォームを殺菌する方法として、プリフォーム内に水蒸気を吹き込んでガラス転移点温度以上の温度を所定時間維持することでプリフォーム内を殺菌し、その直後にエアを吹き込んで水蒸気のドレンを除去するという方法が提案されている（例えば、特許文献４参照。）。
【先行技術文献】
【特許文献】
【０００６】
【特許文献１】特開平５−６５１４８号公報
【特許文献２】特表２００１−５１０１０４号公報
【特許文献３】特開２０００−３２６９３５号公報
【特許文献４】特開２００７−１１１８８６号公報
【発明の概要】
【発明が解決しようとする課題】
【０００７】
従来の過酸化水素水のミストを用いてボトルを殺菌する方法は、過酸化水素水のミストを微細化する必要があることから、高価なミスト生成器を使用しなければならず、そのため、コストアップを招くという問題がある。
【０００８】
また、プリフォームに過酸化水素等の薬剤を噴射する方法は、プリフォームを正立状態で整列走行させる必要があり、しかも薬剤を付着させた後ただちに加熱炉内に導く必要がある。このため、殺菌システムが複雑化、大型化し、コストアップを招くという問題がある。
【０００９】
また、プリフォームに過酸化水素水溶液を滴下して殺菌する方法は、プリフォームを整列させて搬送する必要があり、大量のプリフォームを高速で処理することが困難である。さらに、過酸化水素水溶液は各プリフォームに定量だけ滴下するようになっているため、過酸化水素水溶液を計量しつつ吐出する高価な装置が必要になるという欠点がある。
【００１０】
さらに、従来の水蒸気でプリフォーム内を殺菌する方法によれば、殺菌剤の残留という問題は解消されるが、水蒸気のドレンがプリフォーム内に残留すると容器に成形した際に白化等の発生原因となるので、殺菌後にドレンを除去する工程を設けなければならないという問題がある。また、プリフォームの口部に水蒸気が永く掛かると、口部が変形しやすくなり、後に口部に蓋を被せた際に密封性が損なわれる原因となる。水蒸気のみによる殺菌では、菌が生残しやすくなるという問題がある。
【００１１】
本発明は、このような問題点を解消することを課題とする。
【課題を解決するための手段】
【００１２】
上記課題を解決するため、本発明は次のような構成を採用する。
【００１３】
すなわち、請求項１に係る発明は、有底筒状に形成された多数のプリフォーム（１）をコンベア（４）上に投入して不揃いな横臥状態にし、これらプリフォーム（１）を、コンベア（４）によって第一のチャンバ（５）内を通過させながら、コンベア（４）の両側から加温エア（Ｈ）をプリフォーム（１）に吹き付けてプリフォーム（１）を予熱し、引き続きプリフォーム（１）を、コンベア（４）によって第二のチャンバ（６）内を通過させながら、コンベア（４）の両側から、過酸化水素を混ぜた水から作った過熱蒸気（Ｓ）をプリフォーム（１）に向かって吹き付けてプリフォーム（１）を殺菌するプリフォーム殺菌方法を採用する。
【００１４】
請求項２に記載されるように、請求項１に記載のプリフォーム殺菌方法において、上記加温エア（Ｈ）の吹き付けにより、プリフォーム（１）の表面を４０℃〜７０℃に予熱するようにしてもよい。
【００１５】
請求項３に記載されるように、請求項１に記載のプリフォーム殺菌方法において、過熱蒸気（Ｓ）は過酸化水素を混ぜた水を誘電加熱することによって発生させるようにしてもよい。
【００１６】
また、請求項４に係る発明は、有底筒状に形成されたプリフォーム（１）を横臥状態で乗せて搬送するコンベア（４）と、このコンベア（４）の水平走行部に直列に設置された第一及び第二のチャンバ（５，６）と、第一のチャンバ（５）内でコンベア（４）の両側から加温エア（Ｈ）をプリフォーム（１）に向かって吹き付けてプリフォーム（１）を予熱する予熱用ノズル（１１）と、第二のチャンバ（６）内でコンベア（４）の両側からプリフォーム（１）に向かって、過酸化水素を混ぜた水から作った過熱蒸気（Ｓ）を吹き付けてプリフォーム（１）を殺菌する殺菌用ノズル（２０）とを具備したプリフォーム殺菌装置を採用する。
【発明の効果】
【００１７】
本発明によれば、プリフォーム成形機から放出されるプリフォーム（１）をコンベア（４）で受け止め、コンベア（４）上で横臥状態にしたままコンベア（４）によって第一と第二のチャンバ（５，６）内に導入することで足りる。そして、第二のチャンバ（６）内ではコンベア（４）の両側からプリフォーム（１）に向かって、過熱蒸気（Ｓ）を吹き付けるので、コンベア（４）上のプリフォーム（１）の外面が適正に殺菌される。また、その際、プリフォーム（１）はコンベア（４）上で振動等によって横転しうるので過熱蒸気がプリフォーム（１）の外面にまんべんなく均一に付着する。また、同時に過熱蒸気（Ｓ）は横向きになったプリフォーム（１）の口部（１ａ）からもプリフォーム（１）内に流入するので、プリフォーム（１）内面も適正に殺菌される。これにより、プリフォーム（１）の全表面が過熱蒸気（Ｓ）によって均等に殺菌される。
【００１８】
また、過熱蒸気（Ｓ）は過酸化水素を混ぜた水から作られているので、プリフォーム１の表面に付着した一般細菌、カビ、酵母類が殺菌されるのみならず芽胞菌も殺菌される。
【００１９】
また、過熱蒸気（Ｓ）の吹き付けによる殺菌に先立ち、第一のチャンバ（５）内で加温エア（Ｈ）の吹き付けによりプリフォーム（１）を予熱するので、過熱蒸気（Ｓ）の温度や使用量を低減しても所期の殺菌効果を得ることができる。
【図面の簡単な説明】
【００２０】
【図１】本発明に係る殺菌方法により殺菌しうるプリフォームの一例を示し、（Ａ）は平面図、（Ｂ）は正面図である。
【図２】本発明に係るプリフォーム殺菌方法を実施するための装置の概略を示す部分切欠平面図である。
【図３】上記装置の概略を示す垂直断面図である。
【図４】（Ａ）は加温エア発生部のブロック図、（Ｂ）は過熱蒸気発生部のブロック図である。
【発明を実施するための形態】
【００２１】
以下に本発明を実施するための形態について説明する。
【００２２】
本発明が殺菌の対象とするプリフォームは、ＰＥＴを射出成形することによって、試験管状の有底筒状体として形成される。プリフォームは、後に所望の形状のボトル（図示せず）に成形されるが、図１（Ａ）（Ｂ）に示すように、プリフォーム１には、成形後のボトルにおけると同様な口部１ａをその成形当初に付与される。この口部１ａの外周面にはプリフォーム１の成形と同時に雄ネジ２が形成される。この雄ネジ２は、ボトルの口部１ａに被せられるキャップ（図示せず）の雌ネジと螺合可能である。雄ネジ２の下方には後にボトル内へ飲料等を充填する際に利用されるサポートリング３が形成される。
【００２３】
このプリフォーム１を殺菌する装置は、図２及び図３のように構成される。
【００２４】
図２及び図３中、符号４は無端ベルト式のコンベアを示す。このコンベア４の矢印で示す走行方向の上流側には、プリフォーム成形機（図示せず）が配置される。プリフォーム成形機から放出される成形済のプリフォーム１はコンベア４の上流部で図示しないホッパ等の使用によって受け止められる。図２に示すように、成形されたプリフォーム１は、コンベア４上に不揃いな向きで横臥状態になって乗せられる。
【００２５】
コンベア４の中間部は水平に走行可能であり、この中間部には第一と第二のチャンバ５，６が直列状態で配置され、各々フード状にコンベア４に被せられる。
【００２６】
図２及び図３に示すように、第一のチャンバ５は、コンベア４を両側から挟むように配置される両側壁７と、両側壁７の前後端に配置された前後壁８，９と、両側壁７及び前後壁８，９の上側を遮蔽する天壁１０とを有する。
【００２７】
両側壁７には、コンベア４の側縁側からコンベア４を横切る方向に加温エアＨを吐出する予熱用ノズル１１が各々取り付けられる。予熱用ノズル１１は両側壁７に一個ずつ取り付けることも可能であるが、望ましくは両側壁７にコンベア４の走行方向に向かって複数個ずつ配列される。
【００２８】
また、予熱用ノズル１１としては、円形の開口を有するものであってもよいし、スリット状の開口を有するものであってもよい。
【００２９】
各予熱用ノズル１１の上流からは無菌の加温エアＨが供給され、この加温エアＨが各予熱用ノズル１１の先端から第一のチャンバ５内に吐出されてコンベア４上のプリフォーム１の表面に吹き付けられると、加温エアＨの熱によってプリフォーム１の表面が予熱される。
【００３０】
この加温エアＨが予熱用ノズル１１から吹き出す時の温度は、望ましくは８０℃〜１３０℃であり、加温エアによって予熱されたプリフォーム１の表面の温度は、望ましくは４０℃〜７０℃である。４０℃よりも低いと後に吹き付ける過熱蒸気Ｓの温度等をさほど低減することができず、１３０℃よりも高いとプリフォーム１の口部１ａに変形を来すおそれがある。
【００３１】
また、加温エアＨはチャンバ５内でコンベア４の両側からコンベア４を横切る方向に吐出され、プリフォーム１はコンベア４上で振動等によって横転しうるので加温エアＨがプリフォーム１の表面にまんべんなく均一に接触する。同時に加温エアは横向きになったプリフォーム１の口部１ａからもプリフォーム１内に流入し、プリフォーム１の内面に均一に接触する。さらに、予熱用ノズル１１から吐出された加温エアＨは第一のチャンバ５内に充満して循環することから、この予熱用エアＨの流れもプリフォーム１の表面に均一に付着する。これにより、プリフォーム１の全表面が加温エアＨによって適正に予熱される。
【００３２】
上記第一のチャンバ５の前後壁８，９には、コンベア４とその上に乗ったプリフォーム１が通過することができるように、開口８ａ，９ａが形成される。また、天壁１０には排気ダクト１２が連結される。上記第一のチャンバ５内に吐出された加温エアＨは図示しないブロアの駆動により排気ダクト１２内に吸引され、第一のチャンバ５の外へと排出される。
【００３３】
加温エアＨの発生部は、図４（Ａ）に示すように、ブロア１３と、除菌フィルタ１４と、電熱器１５とを備える。ブロア１３から取り込まれた外気が除菌フィルタ１４によって除菌され、電熱器１５で所定温度まで加熱された後、無菌の加温エアＨとなって配管から各予熱用ノズル１１へと送られる。
【００３４】
なお、ブロア１３から除菌フィルタ１４に向かうエアには加熱した蒸気を添加することで、このエアを予備加熱するとともに加湿し、電熱器１５から出る無菌の加温エアＨの熱容量を高めるようにしてもよい。また、除菌フィルタ１４は、プレフィルタとＵＬＰＡフィルタを直列に連結したものであってもよい。プレフィルタを設けることでＵＬＰＡフィルタの寿命を長くすることが可能である。
【００３５】
図２及び図３に示すように、第一のチャンバ５には第二のチャンバ６がコンベア４の下流側から隣接する。
【００３６】
この第二のチャンバ６も第一のチャンバ５と同様に、コンベア４を挟むように配置される両側壁１６と、両側壁１６の前後端に配置された前後壁１７，１８と、両側壁１６及び前後壁１７，１８の上側を遮蔽する天壁１９とを有する。
【００３７】
両側壁１６には、コンベア４の側縁側からコンベア４を横切る方向に過熱蒸気Ｓを吐出する殺菌用ノズル２０が各々取り付けられる。殺菌用ノズル２０は両側壁１６に一個ずつ取り付けることも可能であるが、望ましくは両側壁１６にコンベア４の走行方向に向かって複数個ずつ配列される。
【００３８】
また、殺菌用ノズル２０としては、円形の開口を有するものであってもよいし、スリット状の開口を有するものであってもよい。
【００３９】
各殺菌用ノズル２０の上流から過熱蒸気Ｓが供給され、過熱蒸気Ｓが各殺菌用ノズル２０の先端から第二のチャンバ６内に吐出される。
【００４０】
過熱蒸気Ｓは、過酸化水素を混ぜた水から作られる過酸化水素と水とが混じり合った混合ガスである。この過熱蒸気Ｓがコンベア４上のプリフォーム１の表面に吹き付けられると、過熱蒸気Ｓの熱と過酸化水素の殺菌作用によって上記予熱されたプリフォーム１の表面が殺菌される。
【００４１】
プリフォーム１に吹き付ける過熱蒸気Ｓの温度は望ましくは１５０℃〜５００℃であり、より望ましくは２５０℃〜４００℃である。１５０℃〜５００℃の温度範囲であれば、プリフォーム１の表面のみ高温に曝すことで、短時間でプリフォーム１の表面に付着した菌を殺菌することができる。過熱蒸気Ｓの温度が１５０℃未満では、殺菌のため長時間の吹き付けが必要となって、プリフォーム１を構成するＰＥＴ自体が高温となり、プリフォーム１の変形が大きくなる。また、５００℃を超えると、短時間でもプリフォーム１を構成するＰＥＴ自体の温度が上がり、プリフォーム１に変形を生じ易くなる。
【００４２】
また、プリフォーム１に吹き付ける過熱蒸気Ｓの圧力は、大気圧よりも高い圧力であり、望ましくは０．１ＭＰａよりも高く０．３ＭＰａ未満である。０．１ＭＰａの近傍であれば、過熱蒸気Ｓがプリフォーム１に接して温度が低下しても、結露する可能性は低く、０．３ＭＰａよりも圧力が高いと、プリフォーム１に過熱蒸気Ｓを吹き付けた際にプリフォーム１の表面で結露する可能性がある。結露が発生すると、後にボトル等にブロー成形した際にボトル２の表面に白化等を生じるおそれがある。
【００４３】
また、過熱蒸気Ｓをプリフォーム１に吹き付ける時間は、１．０秒〜１０．０  秒であるのが望ましい。１．０秒未満であると、殺菌不良を生じ易くなり、１０．０秒より永いとプリフォーム１の口部１ａに変形を生じ易くなる。この過熱蒸気Ｓの吹き付け時間は、上述のごとく予めプリフォーム１の表面を予熱していることから、予熱を行なわない場合に比べ、過酸化水素を混ぜた水からなる過熱蒸気Ｓによるプリフォーム表面の殺菌力を高めることができる。
【００４４】
水に混ぜる過酸化水素は、０．５％〜１５％濃度であるのが望ましい。０．５％未満であると、芽胞菌に対する殺菌力が不十分であり、１５％より大きいと過酸化水素の残留が多くなる。
【００４５】
過熱蒸気Ｓは第二のチャンバ６内でコンベア４の両側からコンベア４を横切る方向に吐出され、プリフォーム１はコンベア４上で振動等によって横転しうるので過熱蒸気Ｓがプリフォーム１の表面にまんべんなく均一に接触または付着する。同時に過熱蒸気Ｓは横向きになったプリフォーム１の口部１ａからもプリフォーム１内に流入し、プリフォーム１の内面に均一に接触または付着する。さらに、殺菌用ノズル２０から吐出された過熱蒸気Ｓは第二のチャンバ６内に充満して循環することから、この過熱蒸気Ｓの流れもプリフォーム１の表面に均一に接触又は付着する。これにより、プリフォーム１の全表面が過熱蒸気Ｓとこれに含まれる過酸化水素のガスとによって適正に殺菌される。
【００４６】
上記第二のチャンバ６の前後壁１７，１８には、コンベア４とその上に乗ったプリフォーム１が通過することができるように、開口１７ａ，１８ａが形成される。また、天壁１９には排気ダクト２１が連結される。上記第二のチャンバ６内に吐出された過熱蒸気Ｓは図示しないブロアの駆動により排気ダクト２１内に吸引され、第二のチャンバ６の外へと排出される。
【００４７】
上記過熱蒸気Ｓは、図４（Ｂ）に示す市販の過熱蒸気発生装置２２を使用することにより得ることができる。具体的には、トクデン株式会社製の商品名ＵＰＳＳである過熱蒸気発生装置を用いることができる。これは、図示しないが、螺旋状に巻回された導電体からなる通水パイプの螺旋の中央に誘導加熱コイルを挿入してなるもので、過酸化水素を混ぜた水を通水パイプ内に導き、誘導加熱コイルに交流電圧を印加するようになっている。交流電圧をインバータにより周波数変換して通電することも可能である。交流電圧の印加により、誘導加熱コイルが交番磁束を発生し、通水パイプに誘導電流が流れ、通水パイプが発熱する。この通水パイプの発熱によって中を流れる水と過酸化水素が加熱されて飽和蒸気となり、さらに過熱蒸気Ｓとなり、通水パイプ外へ取り出される。
【００４８】
なお、誘導加熱コイルを導電性のチューブとし、これに通水することでさらに加熱効果を高めることも可能である。
【００４９】
上記過熱蒸気発生装置２２によれば、過熱蒸気Ｓとして、圧力が０．１ＭＰａ程度で、温度が１５０℃〜５００℃のものを得ることが可能である。上記誘電加熱方式を採用することにより、通電開始から短時間で、過酸化水素を混ぜた水を１５０℃以上の過熱蒸気Ｓとすることができる。具体的には、過熱蒸気Ｓは水と過酸化水素とが混じり合った高温の混合ガスである。この過熱蒸気Ｓは、過熱蒸気発生装置２２の通水パイプの終端に接続された導管２３の先端から取り出され、各殺菌用ノズル２０へ分配される。
【００５０】
上記コンベア４における第二のチャンバ６よりも下流側は、図示しないコンテナ等の大型容器に向かって伸びている。第二のチャンバ６内で過熱蒸気Ｓにより殺菌されたプリフォーム１は、コンベア４により大型容器へと運ばれ、大型容器内に投入される。大型容器は所定量のプリフォーム１が入れられた後密閉され、保管され、ボトルに成形する工場へと搬送される。
【００５１】
また、コンベア４における第二のチャンバ６よりも下流側がブロー成形機に接続されている場合は、殺菌されたプリフォーム１は直ちにブロー成形に付され、ボトル等の容器に成形される。さらに、ブロー成形機が飲料等の内容物充填機に接続されている場合は、ボトル等の容器に飲料等の内容物が充填され、密封され、無菌充填包装品として排出される。
【００５２】
次に、上記プリフォーム殺菌装置の作用をプリフォーム殺菌方法と共に説明する。
【００５３】
プリフォーム１の殺菌処理を開始する前に予め第一及び第二のチャンバ５，６内が過酸化水素水等の薬剤のスプレーにより殺菌処理される。
【００５４】
プリフォーム成形機の稼働により、成形されたプリフォーム１が走行するコンベア４の上流側に投入される。プリフォーム成形機から放出されるプリフォーム１はコンベア４の上流部で受け止められ、図２及び図３に示すように、コンベア４上に不揃いな横臥状態となる。
【００５５】
コンベア４上のプリフォーム１はコンベア４と共に第一のチャンバ５内に入り、予熱用ノズル１１から吐出される加温エアＨの吹き付けにより予熱される。
【００５６】
加温エアＨは第一のチャンバ５内でコンベア４の両側からコンベア４を横切る方向に吐出され、また、プリフォーム１はコンベア４上で振動等によって横転しうるので加温エアＨがプリフォーム１の外面にまんべんなく均一に接触する。
【００５７】
加温エアＨは横向きになったプリフォーム１の口部１ａからもプリフォーム１内に流入し、プリフォーム１の内面に均一に接触して加温する。
【００５８】
予熱用ノズル１１から吐出された加温エアＨは、第一のチャンバ５内に充満して循環することから、この加温エアＨも流れつつプリフォーム１の表面に均一に接触する。これにより、プリフォーム１の全表面が加温エアＨによって均一に予熱される。
【００５９】
プリフォーム１は加温エアＨを吹き付けられつつコンベア４と共に第一のチャンバ５を通過し、続いて第二のチャンバ６内に入って殺菌用ノズル２０から吐出される過熱蒸気Ｓの吹き付けにより殺菌される。
【００６０】
過熱蒸気Ｓは水と過酸化水素とが混じり合った高温の混合ガスとしてプリフォーム１に吹き付けられる。
【００６１】
過熱蒸気Ｓは第二のチャンバ６内でコンベア４の両側からコンベア４を横切る方向に吐出され、また、プリフォーム１はコンベア４上で振動等によって横転しうるので過熱蒸気Ｓはプリフォーム１の外面にまんべんなく均一に接触または付着する。
【００６２】
過熱蒸気Ｓは横向きになったプリフォーム１の口部１ａからもプリフォーム１内に流入し、プリフォーム１の内面に均一に接触または付着して殺菌する。
【００６３】
殺菌用ノズル２０から吐出された過熱蒸気Ｓは、第二のチャンバ６内に充満して循環することから、この過熱蒸気Ｓも流れつつプリフォーム１の表面に均一に接触または付着する。
【００６４】
これにより、プリフォーム１の表面に付着した一般細菌、カビ、酵母類が過熱蒸気Ｓの熱及び過酸化水素によって殺菌され、プリフォーム１の表面に付着した芽胞菌が過酸化水素によって殺菌される。
【００６５】
コンベア４の走行に伴い第二のチャンバ６から出た殺菌済のプリフォーム１は、コンテナ等の大型容器内に投入される。あるいはコンテナ等に梱包されることなくブロー成形機、充填機へと搬送され、無菌包装体となって排出される。
【００６６】
なお、本発明は、上述した実施の形態に限定されることなく種々の形態にて実施可能である。
【実施例】
【００６７】
第一のチャンバ５及び第二のチャンバ６はそれぞれ幅１，０００ｍｍ、長さ１，５００ｍｍ、高さ２００ｍｍとした。これに容量５００ｍｌボトル用プリフォームを８６０本／分供給しコンベアを所定の速度で運転した。また、第一のチャンバ５内での加温エアＨの温度及び第二のチャンバ６内での過熱蒸気Ｓの吹き出し温度、過酸化水素の濃度についても表１のごとく設定し、同表のような結果を得た。
【００６８】
【表１】
2014050987.tif 000003
【００６９】
なお、表１中、「B.sub」は、Bacillus subtilisの略語であり、「A.niger」は、Aspergillus nigerの略語である。「Ｄ」は殺菌効果を示すＤ値である。
【００７０】
表１の結果から明らかなように、A.nigerについて過酸化水素を添加した過熱蒸気を吹き付けた場合は、加温エアによるプリフォーム表面の予熱の有無にかかわらず、６．０Ｄ以上の殺菌効果を得ることができた。B.subについては、予熱を行い、かつ、過酸化水素を添加した過熱蒸気を吹き付けた場合は、予熱しない場合にくらべ、過熱蒸気の温度を上げたり、吹き付け量を増やしたりしなくとも、６．０Ｄ以上の殺菌効果を得ることができた。
【符号の説明】
【００７１】
１…プリフォーム
４…コンベア
５…第一のチャンバ
６…第二のチャンバ
１１…予熱用ノズル
２０…殺菌用ノズル
Ｈ…加温エア
Ｓ…過熱蒸気
【図１】
2014050987.tif 000004
【図２】
2014050987.tif 000005
【図３】
2014050987.tif 000006
【図４】
2014050987.tif 000007